(57)【要約】【課題】使用者が視認容易な状態に付属品を保持し、使用者が立ったまま付属品の着脱操作が容易となる電気掃除機を提供する。【解決手段】隙間ノズル８などの付属品を延長管５に対して略平行に保持する付属品保持部７ｂを備えたジョイント部７とし、このジョイント部７をハンドル部４と延長管５との間に介装する構成の電気掃除機１とした。【選択図】図１
2013248079.tif 000002
【特許請求の範囲】
【請求項１】
掃除機本体と接続ホースとハンドル部と延長管と吸込みノズルとを備えた電気掃除機であって、
前記ハンドル部と前記延長管との間に、前記延長管に連接して吸込気流が流通する吸気通路と、付属品を前記延長管に対して略平行に保持する付属品保持部を備えたジョイント部を介装したことを特徴とする電気掃除機。
【請求項２】
前記付属品保持部および前記延長管を連結する延長管連結部は圧入式連結部であり、前記ハンドル部との連結部はクランプ式連結部であり、前記付属品は、長手方向の一端側に操作部を有し他端側に圧入部を有し、前記付属品保持部は、前記圧入部の内径部に嵌合して前記付属品を保持するテーパー状嵌合部を有することを特徴とする請求項１に記載の電気掃除機。
【請求項３】
前記付属品保持部は、前記ハンドル部に連結した状態の前記ハンドル部が有する把手側に相当する前記延長管の上側に、前記付属品を保持することを特徴とする請求項１または２に記載の電気掃除機。
【請求項４】
前記延長管連結部に着脱する部材の姿勢をガイドすると共に、載置する前記部材の載置面を摺動可能に支持する支持ガイド部を設けたことを特徴とする請求項２に記載の電気掃除機。
【請求項５】
前記付属品は、隙間ノズル、ブラシ付きノズルのいずれかが含まれることを特徴とする請求項１から４のいずれかに記載の電気掃除機。
【請求項６】
前記ハンドル部の前記ジョイント部を連結する先端側にブラシ体を収納位置と作用位置との間を移動可能に装着し、前記ブラシ体が収納位置にあるときに前記ジョイント部の着脱操作を可能とし、前記ジョイント部を取り外した状態において、前記ブラシ体が収納位置から作用位置に移動可能であることを特徴とする請求項１から５のいずれかに記載の電気掃除機。
【発明の詳細な説明】
【技術分野】
【０００１】
本発明は、隙間ノズルなどの付属品を備える電気掃除機に関する。
【背景技術】
【０００２】
電動送風機と集塵部とを備えた掃除機本体に、屈曲自在な接続ホースとこの接続ホースに連結する延長管と該延長管の先端に取付ける吸込みノズルを一体に接続した電気掃除機が一般に知られている。また、隙間ノズルやブラシ付きノズルなどの補助吸込具を付属品として備えた電気掃除機も一般に広く用いられている。
【０００３】
また、人が立った姿勢で容易に掃除できるように、接続ホースの先端に曲がった形状のハンドル部が接続されており、このハンドル部に延長管が接続される。また、各ホースや延長管を接続するためのジョイント部を装着した掃除機も知られている。このようなジョイント部は、二つの組品を接続するための連結部をその両端に有しており、この連結部は主にクランプ式あるいは圧入式の連結部とされる。
【０００４】
クランプ式連結部は、嵌め込む際に自動的に変位してメカ式に嵌合するクランプ部と、該クランプ部を解放する押しボタンとを備えた構成であり、このクランプ部の配設位置に応じて、連結する両部材を正規の位置合わせ状態に固定する。また、嵌め込む操作によりクランプ部が自動的にロックされ、押しボタンを押下することによりクランプ部が解除されて、嵌め込んだパイプなどを容易に引き出すことができる。
【０００５】
圧入式連結部は、パイプ同士の嵌め込み部をテーパー状として、一方の先細の先端部と他方の拡径した先端部とを嵌め合わせるようにして装着する。そのために、圧入式は、ただ単に、パイプ同士の嵌合部をテーパー状の嵌め込み部にしているだけなので低コスト化が可能であり、隙間ノズルなどの付属品を着脱する接続方法として広く用いられている。
【０００６】
また、隙間ノズルやブラシ付きノズルなどの付属品は、使用者がすぐに使用できる部位に保持しておくことが望ましいので、ハンドル部や延長管部などに、これらの付属品を着脱自在に保持する構成が模索されている。
【０００７】
例えば、隙間ノズルなどを係脱自在に取り付けた付属品収納具を曲がりパイプ（ハンドル部に相当）に着脱自在に装着した構成の電気掃除機が既に提案されている（例えば、特許文献１参照）。
【０００８】
また、ハンドル部や延長管の先に着脱自在なジョイント部に刷毛部を備えた補助吸込具（ブラシ付きノズルに相当）を内蔵した構成の電気掃除機が既に提案されている（例えば、特許文献２参照）。
【先行技術文献】
【特許文献】
【０００９】
【特許文献１】特開２０００−７０１８８号公報
【特許文献２】特開２０１０−１０４８２１号公報
【発明の概要】
【発明が解決しようとする課題】
【００１０】
特許文献１のように曲がりパイプに付属品収納具を装着した構成であれば、隙間ノズルなどの付属品を使用者の手元近くに保持することが可能であり、必要に応じて直ちに使用することができる。しかし、この特許文献１の構成は、付属品をハンドル部の下側に装着した構成であるので、立った姿勢で電気掃除機を使用している使用者はハンドル部の上側から見ることになり、使用者側からは見え難く、着脱操作も容易ではない。
【００１１】
特許文献２に記載された電気掃除機は、延長管等に接続可能なパイプ部材、すなわちジョイント部にブラシ付きノズルが内蔵された構成であるので、他の付属品、例えば隙間ノズルをジョイント部に装着する際に、この内蔵されたブラシ付きノズルが邪魔になって問題となる。
【００１２】
そのために、電気掃除機の使用者に視認容易な状態に付属品を予め取付可能であることが望ましく、予め取り付けている付属品の着脱操作が容易に行えることが望ましい。また、通常の掃除工程やブラシを用いた掃除などの作業の邪魔にならない構成であることが望ましい。
【００１３】
特に、ジョイント部を備えた構成の電気掃除機の場合には、このジョイント部が、付属品の着脱操作の際に邪魔にならず、むしろ、この着脱操作が容易に行える構成であることが望ましい。
【００１４】
そこで本発明は、上記問題点に鑑み、使用者が視認容易な状態に付属品を保持し、使用者が立ったまま付属品の着脱操作が容易となる電気掃除機を提供することを目的とする。
【課題を解決するための手段】
【００１５】
上記目的を達成するために本発明は、掃除機本体と接続ホースとハンドル部と延長管と吸込みノズルとを備えた電気掃除機であって、前記ハンドル部と前記延長管との間に、前記延長管に連接して吸込気流が流通する吸気通路と、付属品を前記延長管に対して略平行に保持する付属品保持部を備えたジョイント部を介装したことを特徴としている。
【００１６】
この構成によると、使用者が電気掃除機を把持して使用中に、延長管と平行に付属品が保持された構成となるので、使用者にとって視認容易となる。また、延長管に平行に付属品を移動して着脱できるので、付属品の着脱操作も容易となる。そのために、付属品を視認容易な位置に保持でき、使用者が立ったまま付属品の着脱操作が容易となる電気掃除機を得ることができる。
【００１７】
また本発明は上記構成の電気掃除機において、前記付属品保持部および前記延長管を連結する延長管連結部は圧入式連結部であり、前記ハンドル部との連結部はクランプ式連結部であり、前記付属品は、長手方向の一端側に操作部を有し他端側に圧入部を有し、前記付属品保持部は、前記圧入部の内径部に嵌合して前記付属品を保持するテーパー状嵌合部を有することを特徴としている。この構成によると、ハンドル部に対してはクランプ式連結部を介して正規の姿勢に固定する。また、ジョイント部に延長管や隙間ノズルなどの付属品を装着する際には、圧入式に差し込むだけでよいので、任意の交換部材を低コストに準備でき、着脱操作を容易に行うことができる。また、付属品の外径部を把持した状態で、圧入部の内径部を付属品保持部のテーパー状嵌合部に差し込むことにより付属品を付属品保持部に装着できる。すなわち、付属品の全長が短くても、その圧入部の外側部分を把持して着脱できるので、付属品の着脱操作を容易に行うことができる。
【００１８】
また本発明は上記構成の電気掃除機において、前記付属品保持部は、前記ハンドル部に連結した状態の前記ハンドル部が有する把手側に相当する前記延長管の上側に、前記付属品を保持することを特徴としている。この構成によると、床面掃除中は、延長管の上側に延長管と平行に付属品が保持されているので、使用者にとってさらに視認容易となり、着脱操作も容易に行うことができる。
【００１９】
また本発明は上記構成の電気掃除機において、前記延長管連結部に着脱する部材の姿勢をガイドすると共に、載置する前記部材の載置面を摺動可能に支持する支持ガイド部を設けたことを特徴としている。この構成によると、ジョイント部に延長管や隙間ノズルなどの付属品を装着する際には、支持ガイド部を介して嵌め込む管部の芯合わせをすることができ、着脱操作を容易に、また安全に行うことができる。また、支持ガイド部の載置面に沿って延長管や隙間ノズルなどの付属品を前後に摺動させる操作により、これらの部材を容易に着脱することができる。
【００２０】
また本発明は上記構成の電気掃除機において、前記付属品は、隙間ノズル、ブラシ付きノズルのいずれかが含まれることを特徴としている。この構成によると、隙間ノズルやブラシ付きノズルを用いた掃除を随時行うことが可能になるので、利便性の高い電気掃除機を得ることができる。
【００２１】
また本発明は上記構成の電気掃除機において、前記ハンドル部の前記ジョイント部を連結する先端側にブラシ体を収納位置と作用位置との間を移動可能に装着し、前記ブラシ体が収納位置にあるときに前記ジョイント部の着脱操作を可能とし、前記ジョイント部を取り外した状態において、前記ブラシ体が収納位置から作用位置に移動可能であることを特徴としている。この構成によると、ハンドル部の先端にブラシ体を収納位置と作用位置との間を移動可能に配設しておくので、必要に応じてブラシ体を用いた掃除を行うことができる。また、隙間ノズルなどの付属品をジョイント部に保持しているので、必要に応じて隙間ノズルを用いた掃除も行うことができ、さらに利便性の高い電気掃除機を得ることができる。
【発明の効果】
【００２２】
本発明によれば、隙間ノズルなどの付属品を延長管に対して平行に保持する付属品保持部を備えたジョイント部をハンドル部と延長管との間に介装する構成の電気掃除機としたので、使用者にとって視認容易となる。また、延長管に平行に付属品を移動して着脱するので、付属品の着脱操作も容易となる。そのために、使用者が視認容易な状態に付属品を保持し、使用者が立ったまま付属品の着脱操作が容易となる電気掃除機を得ることができる。
【図面の簡単な説明】
【００２３】
【図１】本発明に係る電気掃除機の一例を示す全体外観図である。
【図２】ジョイント部の一例を示す側面図である。
【図３】ジョイント部の構造を示す断面図である。
【図４】電気掃除機の変形例を示す要部斜視図である。
【図５】変形例の電気掃除機が備えるブラシの使用時を示す斜視図である。
【発明を実施するための形態】
【００２４】
以下に本発明の実施形態を図面を参照して説明する。また、同一構成部材については同一の符号を用い、詳細な説明は適宜省略する。
【００２５】
〈第一実施形態〉
図１は、第一実施形態の電気掃除機１の全体外観図を示す。図１に示すように、本実施形態に係る電気掃除機１は、電動送風機と集塵部を内蔵する掃除機本体２と可撓性を有し屈曲自在な接続ホース３とハンドル部４と延長管５と吸込ノズル６を備えている。また、掃除機本体２には車輪１１と補助輪１２とが配設されており、使用者がハンドル部４を把持して移動しながら掃除する操作に応じて移動自在とされる。
【００２６】
また、ハンドル部４は、吸込気流が流通する吸気通路を有する管部４１と把手部４２とが環状に連なった形状とされ、把手部４２の上面には各種ボタンが設置された操作部が設けられている。そして、使用者が操作部を操作して掃除運転が実行され、把手部４２を把持して吸込ノズル６を移動させる。
【００２７】
吸込ノズル６は、床面に当接して床面上のゴミなどを吸い込むために、所定の横幅の吸込部を有する。そのために、壁際や狭い間隙部などを掃除する場合は、横幅の細い隙間ノズル８を用いて掃除を行う必要が生じる。また、掃除面をブラシでこすりながら塵埃を吸引する際にはブラシ付きノズルを用いて掃除を行う。
【００２８】
このような付属品（例えば、隙間ノズル、ブラシ付きノズルのいずれかが含まれる）は、別に保管しておいてもよいが、掃除機本体２に予め保持しておいても、ハンドル部４や延長管５に保持しておく構成であってもよい。本実施形態では、ハンドル部４と延長管５との間にジョイント部７を介装し、このジョイント部７に付属品（例えば、隙間ノズル８）を保持する構成としている。以下、付属品として隙間ノズル８を用いて説明する。
【００２９】
また、図に示すように、ジョイント部７に保持される隙間ノズル８は延長管５に対して略平行とされる。さらに、床面掃除時の通常操作状態において、ハンドル部４の上側に保持するようにしている。すなわち、使用者が把手部４２を把持して掃除しているときは、使用者の前方下側に延長管５が位置しており、この延長管５に対して略平行に隙間ノズル８が保持されているので、使用者にとって視認容易な状態で隙間ノズル８が保持されていることになる。
【００３０】
延長管５に対して略平行に隙間ノズル８が保持されている状態は、延長管５と所定間隔をおいた平行状態に隙間ノズル８が位置するので、把手部４２を把持している使用者にとって、この隙間ノズル８は視認容易となる。特に、延長管５の上側にある場合には、使用者はハンドル部の上側から見ることになり、さらに視認容易といえる。
【００３１】
ジョイント部７は、延長管連結部７ａと付属品保持部７ｂを有する。また、延長管５に連接して吸込気流が流通する吸気通路１０（図３参照）を有する。すなわち、付属品保持部７ｂは吸気通路１０が形成された延長管連結部７ａの上側に、この吸気通路１０と略平行に隙間ノズル８を保持する。
【００３２】
次に、図２、図３を用いて本実施形態に係るジョイント部７について詳細に説明する。
【００３３】
図２に示すように、ジョイント部７は、延長管連結部７ａと付属品保持部７ｂに加えて、ハンドル部４に連結する連結部７ｃを備えている。この連結部７ｃはクランプ式連結部Ｃ１であり、延長管連結部７ａは圧入式連結部Ｃ２である。そのために、ジョイント部７をハンドル部４に装着する際には、ジョイント部７を差し込む操作によりクランプ部が嵌合して自動的にロックされる。また、ハンドル部４から取り外す際には、ハンドル部４側に設ける押しボタン４３（図４参照）を押下することにより、クランプ部が解除されて容易に引き出すことができる。
【００３４】
クランプ式連結部Ｃ１は、装着する部材を正規の姿勢に固定するので、ハンドル部４に対してジョイント部７を所定の姿勢に固定する。また、圧入式連結部Ｃ２は、テーパー状管部を嵌め込む構成であるので、嵌め込む部材を任意の姿勢に固定することができる。
【００３５】
延長管連結部７ａは圧入式連結部Ｃ２であるので、差し込む側、または、差し込まれる側のいずれか一方もしくは両方をテーパー状管部にすることで固定できる。そのために、延長管５を延長管連結部７ａに差し込む操作により延長管５を固定できる。また、付属品保持部７ｂも圧入式連結部Ｃ３であって、隙間ノズル８を付属品保持部７ｂに差し込む操作により隙間ノズル８を固定できる。
【００３６】
隙間ノズル８は、すなわち付属品は、長手方向の一端側に操作部を有し他端側に圧入部を有する。そして、付属品保持部７ｂは、圧入部の内径部に嵌合して付属品を保持するテーパー状嵌合部を有する構成としている。
【００３７】
そのために、隙間ノズル８は、圧入側の内径部が支持されて操作部が外向きに突出し外形全体が露出した状態に保持される。また、その位置は、延長管連結部７ａに保持される延長管５から隙間Ｈ１離れて略平行な状態に付属品保持部７ｂ保持される。この隙間Ｈ１は、例えば使用者の指が入り込む程度の隙間であることが好ましい。指が入り込む隙間Ｈ１を介して隙間ノズル８が保持された状態であれば、視認容易であることに加えて付属品保持部７ｂに対する隙間ノズル８の着脱操作を容易に行うことができる。
【００３８】
延長管連結部７ａも嵌め込む部材の内径部に嵌合するテーパー状嵌合部を有する。さらに、当該連結部に着脱する部材の姿勢をガイドする支持ガイド部７１ａを設けている。この支持ガイド部７１ａは、例えば、当該ガイド部に載置する部材の載置面を摺動可能に支持する湾曲した当接面を有する舌片状突出部として形成される。この構成であれば、ジョイント部に延長管や隙間ノズルなどの付属品を装着する際には、支持ガイド部７１ａを介して嵌め込む管部の芯合わせをすることができ、着脱操作を容易に、また安全に行うことができる。また、支持ガイド部７１ａの載置面に沿って延長管５や隙間ノズル８などの付属品を前後に摺動させる操作により、これらの部材を容易に着脱することができる。
【００３９】
そのために、支持ガイド部７１ａに延長管５の下側部分を乗せて押し込む操作により、延長管５を延長管連結部７ａに差し込んで固定できる。また、差し込んだ後は、この延長管連結部７ａに差し込んだ延長管５の先端部を長さＬ１に亘って支持する構成となって、この延長管５を水平状態からさらに上向きに傾ける際に、延長管５を支持する機能を発揮する。
【００４０】
図３の断面図に示すように、ジョイント部７は吸込気流が流通する吸気通路１０を有する。また、クランプ式連結部Ｃ１と圧入式連結部Ｃ２、Ｃ３を有する。そのために、ジョイント部７は、吸気通路１０とクランプ式連結部Ｃ１と圧入式連結部Ｃ２、Ｃ３を一体に有する一体の樹脂成形品としてもよいが、本実施形態では、支持ガイド部７１ａを有する第１部材７１と、付属品保持部７ｂを有する第２部材７２と、吸気通路１０とクランプ式連結部Ｃ１を有する第３部材７３と、を組み合わせて一体にした構成としている。
【００４１】
すなわち、第１部材７１は延長管５の外径部を挿通可能に支持する支持ガイド部７１ａを備えた樹脂成形品から成り、第２部材７２は付属品例えば隙間ノズル８の圧入側の内径部を嵌め込むテーパー状の付属品保持部７ｂを備えた樹脂成形品から成り、第３部材７３は、延長管５の内径部を嵌め込むテーパー状の延長管連結部７ａと吸気通路１０とクランプ式連結部Ｃ１を構成するクランプ部７ｃを備えた樹脂成形品から成る。
【００４２】
この構成であれば、例えば、それぞれが所定の機能を発揮する第１部材７１と第２部材７２と第３部材７３とを組み合わせてネジ固定することにより、種々の要望に適応したジョイント部材７を構成可能になることが好ましい。
【００４３】
また、延長管連結部７ａと付属品保持部７ｂのテーパー状嵌合部を同じサイズとすることで、同一の管部材を同様に着脱自在となる。すなわち、延長管連結部７ａに延長管５と隙間ノズル８などの付属品を交互に交換して装着可能になる。この場合、テーパー状嵌合部径の大きさは同じであって、長さは短くてもよく、このテーパー状を利用して圧入装着可能となる。
【００４４】
隙間ノズル８は操作部となる吸込口を有する側とは反対側に圧入部を有する。すなわち、隙間ノズル８（付属品）は、長手方向の一端側に操作部を有し他端側に圧入部を有し、使用者は隙間ノズル８（付属品）の外径部を把持した状態で、圧入部の内径部を付属品保持部７ｂのテーパー状嵌合部に差し込むことにより、隙間ノズル８（付属品）を付属品保持部７ｂに装着できる。そのため、隙間ノズル８（付属品）の全長が短くても、その圧入部の外側部分を把持して着脱できるので、付属品の着脱操作を容易に行うことができる
【００４５】
すなわち、使用者はハンドル部４を把持して立ったままの姿勢で、片方の手を用いて付属品を延長管５に沿って上向きに押し込む操作により、付属品を付属品保持部７ｂに保持させることができる。また、立ったままの姿勢で、同じく片手で付属品を延長管５に沿って下向きに引き出す操作により、付属品を付属品保持部７ｂから取り出すことができる。
【００４６】
上記したように、本実施形態に係るジョイント部７は、隙間ノズル８やブラシ付きノズルなどの付属品を延長管５に対して略平行に保持する付属品保持部７ｂを備えた構成としたので、使用者にとって視認容易となる。また、延長管５に対して略平行に付属品を移動して着脱するので、付属品の着脱操作も容易となる。さらに、付属品が延長管５に対して略平行に付属品を保持していることで、付属品を延長管５へ装着する方法が容易に推測することができる。
【００４７】
そのために、上記構成のジョイント部７を備え当該ジョイント部７に隙間ノズル８などの付属品を保持した構成の本実施形態に係る電気掃除機１は、使用者がハンドル部の上側から見ることにより視認容易な状態に付属品を保持し、使用者が立ったまま付属品の着脱操作が容易となる電気掃除機となって好ましい。
【００４８】
〈第二実施形態〉
また、上記ジョイント部７に加えて、さらにブラシ体（ブラシ付きノズルの一種）を別に保持する構成とした電気掃除機の変形例について、図４、図５を用いて説明する。
【００４９】
本実施形態の電気掃除機は、図１に示す電気掃除機１が備えるハンドル部４に替えて、図４に示すハンドル部４Ａを備えたものであって、これ以外の構成は同じである。そのため、この相違点を中心に説明する。図４に示すハンドル部４Ａは、ハンドル部のジョイント部７を連結する先端側にブラシ体９を収納位置と作用位置との間を移動可能に装着したものである。この図は、ブラシ体９が収納位置にある状態を示し、この状態においては、ジョイント部７をハンドル部４Ａに装着し取り外すことができる。
【００５０】
ブラシ体９は、軸支部９１を有する本体枠部と本体枠部に環状に埋め込まれるブラシ部ＢＲを備えており、軸支部９１を介して図中の矢印Ｄ１方向に回動自在にハンドル部４Ａに装着されている。そのために、図示する収納位置からブラシ部ＢＲが前向きになるように本体枠部を回動させることにより、図５に示す作用位置に移動する。この作用位置においては、ブラシ部ＢＲがハンドル部４Ａの吸気通路入り口の周囲に配置され、このブラシ部ＢＲを用いた掃除が可能になる。すなわち、ブラシ体９が作用位置に移動することにより、ハンドル部４Ａの先端がブラシ付きノズルとして作用する。
【００５１】
上記したように、ブラシ体９が収納位置にあるときにジョイント部７の着脱操作を可能とし、ジョイント部７を取り外した状態において、ブラシ体９が収納位置から作用位置に移動可能としている。この構成であれば、必要に応じてブラシ体９を用いた掃除を行うことができる。
【００５２】
すなわち、ブラシ体９を一体に収納する構成のハンドル部４Ａとジョイント部７を備えた本実施形態の電気掃除機は、吸込ノズル６を用いた通常の掃除に加えて、ブラシ体９を用いた掃除や隙間ノズル８を用いた掃除や、ブラシ体９とはブラシ部ＢＲの構造が異なるその他のブラシ付きノズルを用いた掃除を任意に行うことができ、さらに利便性の高い電気掃除機となる。
【００５３】
また、ハンドル部４Ａの先端にブラシ体９を収納位置と作用位置との間を移動可能に配設しておくので、ブラシ体９を紛失することがなく、隙間ノズル８などの付属品も視認容易な状態に保持しているので、必要なときに、所定の部材を用いた掃除を適宜行うことができる。また、ハンドル部４Ａには、付属品が取り付けられていないので掃除するときに邪魔にならずに掃除ができる。従って、本実施形態によれば、さらに効率的な掃除を行うことができる。
【００５４】
上記したように、本発明によれば、隙間ノズル８などの付属品を延長管５に対して略平行に保持する付属品保持部７ｂを備えたジョイント部７としたので、使用者にとって視認容易であり、延長管５に平行に付属品を移動して着脱するので、付属品の着脱操作も容易となる。そのために、使用者が視認容易な状態に付属品を保持し、使用者が立ったまま付属品の着脱操作が容易となる電気掃除機を得ることができる。
【００５５】
また、ジョイント部７は、ハンドル部４との連結部がクランプ式連結部であり、延長管５や付属品との連結部が圧入式連結部であるので、ハンドル部４に対して正規の姿勢に固定でき、保持する付属品を常に視認容易な状態に配置できる。さらに、圧入式連結部を介して任意の付属品を準備でき、延長管５や付属品などの多種の部材を容易に付け替えることができる。
【００５６】
従って、本発明に係る上記構成のジョイント部７は、一つの部材でジョイント機能と付属品ホルダー機能との複数の機能を発揮する電気掃除機用のジョイント部となる。
【産業上の利用可能性】
【００５７】
そのために、本発明に係る電気掃除機は、各種の掃除機能が求められ、付属品の視認性を良好とし着脱操作を容易として利便性を高くすることが求められる電気掃除機に好適に利用可能となる。
【符号の説明】
【００５８】
１    電気掃除機
２    掃除機本体
３    接続ホース
４、４Ａ    ハンドル部
５    延長管
６    吸込ノズル
７    ジョイント部
７ａ  延長管連結部
７ｂ  付属品保持部
８    隙間ノズル（付属品）
９    ブラシ体
１０    吸気通路
１１    車輪
Ｃ１    クランプ式連結部
Ｃ２    圧入式連結部
Ｃ３    圧入式連結部
Ｈ１    隙間
ＢＲ    ブラシ部
【図１】
2013248079.tif 000003
【図２】
2013248079.tif 000004
【図３】
2013248079.tif 000005
【図４】
2013248079.tif 000006
【図５】
2013248079.tif 000007